(57)【要約】【課題】専用の信号を送信する機能や文字メッセージを送信する機能を用いることなく、通常の電話機能を用いて撮像操作を行うことが可能な携帯電話機を提供する。【解決手段】このカメラ側携帯電話機１００（携帯電話機）は、撮像部１３と、無線電話通信を行う電話通信部１２と、電話通信部１２を用いて操作側携帯電話機２００との通話を確立した状態で、操作側携帯電話機２００から送信された撮像用音声信号または撮像用トーン信号の少なくともいずれかに基づいて、撮像部１３の撮像動作を実行するＣＰＵ１１とを備える。【選択図】図２
2011035722.tif 000002
【特許請求の範囲】
【請求項１】
撮像部と、
無線電話通信を行う第１通信部と、
前記第１通信部を用いて操作側携帯電話機との通話を確立した状態で、前記操作側携帯電話機から送信された第１音声信号または第１トーン信号の少なくともいずれかに基づいて、前記撮像部の撮像動作を実行する制御部とを備える、携帯電話機。
【請求項２】
前記第１音声信号または前記第１トーン信号の少なくともいずれかを記憶する記憶部をさらに備え、
前記制御部は、前記操作側携帯電話機から送信された音声信号またはトーン信号の少なくともいずれかが、前記記憶部に記憶された前記第１音声信号または前記第１トーン信号の少なくともいずれかに一致した場合に、前記撮像部の撮像動作を実行する制御を行うように構成されている、請求項１に記載の携帯電話機。
【請求項３】
前記制御部は、前記操作側携帯電話機から送信された前記第１音声信号に基づいて前記撮像部の撮像動作を実行するように構成されており、
前記第１音声信号は、所定の音声パターンまたは所定の音量に関する信号である、請求項１または２に記載の携帯電話機。
【請求項４】
前記所定の音声パターンは、写真撮像に関する掛け声の音声パターンを含む、請求項３に記載の携帯電話機。
【請求項５】
前記制御部は、前記操作側携帯電話機から送信された前記第１トーン信号に基づいて前記撮像部の撮像動作を実行するように構成されており、
前記第１トーン信号は、複数のトーン信号の所定の組み合わせを含む、請求項１または２に記載の携帯電話機。
【請求項６】
前記操作側携帯電話機と前記無線電話通信とは異なる無線通信を用いて通信可能に構成され、前記操作側携帯電話機の識別情報を取得可能な第２通信部をさらに備え、
前記制御部は、前記操作側携帯電話機との通話を確立する際に、前記第２通信部により予め取得された前記識別情報に基づいて前記第１通信部を用いて前記操作側携帯電話機に対して電話発信を行うか、または、前記識別情報に対応する前記操作側携帯電話機からの電話着信を待ち受ける制御を行うように構成されている、請求項１〜５のいずれか１項に記載の携帯電話機。
【請求項７】
前記制御部は、前記操作側携帯電話機との通話を確立する際に着信信号を検出すると、前記着信信号の前記識別情報を確認するとともに、前記着信信号の前記識別情報が前記操作側携帯電話機に対応する情報であると判断した場合に前記操作側携帯電話機との通話を確立する制御を行うように構成されている、請求項６に記載の携帯電話機。
【請求項８】
前記制御部は、前記第１音声信号とは異なる第２音声信号または前記第１トーン信号とは異なる第２トーン信号の少なくともいずれかを受信すると、前記撮像部により撮像動作を実行する前に試写画像を撮像するとともに、前記操作側携帯電話機に対して撮像した前記試写画像を送信する制御を行うように構成されている、請求項１〜７のいずれか１項に記載の携帯電話機。
【請求項９】
前記制御部は、前記第２音声信号または前記第２トーン信号の少なくともいずれかを受信した場合において、前記第１音声信号または前記第１トーン信号の少なくともいずれかに基づいて撮像動作を実行する際の画素数よりも少ない画素数で前記試写画像を撮像するとともに、撮像した前記試写画像のデータを圧縮した状態で前記操作側携帯電話機に対して送信する制御を行うように構成されている、請求項８に記載の携帯電話機。
【請求項１０】
前記制御部は、前記試写画像に含まれる所定の画像領域を示す撮像領域情報を前記第１通信部を介して前記操作側携帯電話機から受信するとともに、前記撮像領域情報に基づき、前記第１音声信号または前記第１トーン信号の少なくともいずれかに基づいて撮像動作を実行する際の撮像領域を設定する制御を行うように構成されている、請求項８または９に記載の携帯電話機。
【請求項１１】
着信を受けた後の通話を録音する留守番電話モードまたは留守番転送モードを有し、
前記制御部は、前記操作側携帯電話機との通話を確立する際に、留守番電話モードおよび留守番転送モードを解除する制御を行うように構成されている、請求項１〜１０のいずれか１項に記載の携帯電話機。
【請求項１２】
操作側携帯電話機と、
撮像部と、前記操作側携帯電話機との通話を確立した状態で、前記操作側携帯電話機から送信された所定の音声信号または所定のトーン信号の少なくともいずれかに基づいて、前記撮像部の撮像動作を実行する制御部とを含む携帯電話機とを備える、携帯電話機を用いた撮像システム。
【請求項１３】
撮像部を含む携帯電話機と操作側携帯電話機との通話を確立するステップと、
前記操作側携帯電話機と前記携帯電話機との通話が確立された状態において、ユーザの操作に基づいて、前記操作側携帯電話機から前記携帯電話機に対して所定の音声信号または所定のトーン信号の少なくともいずれかを送信するステップと、
前記携帯電話機が受信した前記所定の音声信号または前記所定のトーン信号の少なくともいずれかに基づいて、前記携帯電話機の撮像部の撮像動作を実行するステップとを備える、携帯電話機を用いた撮像方法。
【発明の詳細な説明】
【技術分野】
【０００１】
この発明は、携帯電話機、携帯電話機を用いた撮像システムおよび撮像方法に関し、特に、撮像部を備えた携帯電話機、携帯電話機を用いた撮像システムおよび撮像方法に関する。
【背景技術】
【０００２】
従来、撮像部を備えた携帯電話機が知られている（たとえば、特許文献１〜３参照）。
【０００３】
上記特許文献１には、撮像部と、電話通信を行う通信部と、制御部とを備えたカメラ機能付きの携帯電話機が開示されている。このカメラ機能付き携帯電話機の制御部は、ユーザ（操作者）の入力操作によって着信撮像モードに設定されると、予め登録された電話番号（操作者が使用する携帯電話機の電話番号）からの着信を待ち受けるように構成されている。通信部を介して操作者側の携帯電話機からの着信が検出されると、制御部は、操作者側の携帯電話機との通話を確立するように構成されている。そして、制御部は、操作者側の携帯電話機から所定の指令信号を受信すると、撮像部により撮像を行うように構成されている。なお、この所定の指令信号としては、操作者側の携帯電話機の所定の機能キーや所定の数値キーからの入力などが採用される。この所定の機能キーや所定の数値キーからの入力を行う場合に、どのような信号がカメラ機能付きの携帯電話機に送信されるかという点については、上記特許文献１には開示されていない。
【０００４】
また、上記特許文献２には、撮像部と、電話通信を行う通信部と、制御部とを備えたカメラ付き携帯電話（携帯電話機）が開示されている。このカメラ付き携帯電話の制御部は、ユーザ（操作者）が撮像部を起動した状態（カメラモード）で操作者側の携帯電話機から着信信号を受信すると、制御部がリモート撮像モードに切り替えるとともに、通信部を介して操作者側の携帯電話機との通話を確立するように構成されている。また、通話が確立された状態で、ユーザが操作者側の携帯電話機のキーパッドを操作してレリーズ操作を行うと、操作者側の携帯電話機からレリーズ指示がカメラ付き携帯電話に送信される。制御部は、操作者側の携帯電話機から送信されたレリーズ指示に基づいて、撮像部により撮像を行うように構成されている。なお、上記特許文献２には、操作者側の携帯電話機からカメラ付き携帯電話に送信されるレリーズ指示がどのような信号であるかについては、開示されていない。
【０００５】
また、上記特許文献３には、撮像部と、無線部と、制御部とを備えたカメラ付き折り畳み式携帯電話（携帯電話機）が開示されている。このカメラ付き折り畳み式携帯電話の無線部は、ユーザが操作する遠隔操作端末から通信事業者サーバを介して制御コマンドを含んだ文字メッセージを受信するように構成されている。カメラ付き折り畳み式携帯電話の制御部は、無線部が文字メッセージを受信すると、制御コマンドが含まれているか否かを判断する。そして、受信した文字メッセージに制御コマンドが含まれている場合には、制御部は、その制御コマンドの内容に応じて撮像部の撮像動作などの制御を行うように構成されている。
【先行技術文献】
【特許文献】
【０００６】
【特許文献１】特開２００５−１０１８６７号公報
【特許文献２】特開２００５−３２３２５４号公報
【特許文献３】特開２００３−２１９０４３号公報
【発明の概要】
【発明が解決しようとする課題】
【０００７】
しかしながら、上記特許文献１に開示されたカメラ機能付き携帯電話機では、ユーザが操作者側の携帯電話機の所定の機能キーや所定の数値キーから入力を行うことにより所定の指令信号を操作者側の携帯電話機からカメラ機能付き携帯電話機に送信するので、操作者側の携帯電話機側で専用の所定の指令信号を生成した状態でカメラ機能付き携帯電話機に送信する機能が必要となると考えられる。このため、操作者側の携帯電話機として、通常の電話機能に加えて、専用の指令信号を生成して送信する機能を有する携帯電話機を用いて撮像の操作を行う必要があるという問題点がある。
【０００８】
また、上記特許文献２に開示されたカメラ付き携帯電話では、操作者側の携帯電話機からカメラ付き携帯電話に送信されるレリーズ指示に基づいて、カメラ付き携帯電話が撮像部の撮像動作を行うので、操作者側の携帯電話機にレリーズ指示を含む専用の信号を生成するとともに、生成したレリーズ信号を送信する機能が必要になると考えられる。このため、操作者側の携帯電話機として、通常の電話機能に加えて、レリーズ指示を含む専用の信号の生成および送信を行う機能を有する携帯電話機を用いて撮像の操作を行う必要があるという問題点がある。
【０００９】
また、上記特許文献３に開示されたカメラ付き折り畳み式携帯電話では、ユーザが操作する遠隔操作端末からカメラ付き折り畳み式携帯電話に制御コマンドを含んだ文字メッセージを送信するので、遠隔操作端末として、通常の電話機能に加えて、文字メッセージを送信する機能を有する携帯電話機を用いて撮像の操作を行う必要があるという問題点がある。
【００１０】
この発明は、上記のような課題を解決するためになされたものであり、この発明の１つの目的は、専用の信号を送信する機能や文字メッセージを送信する機能を用いることなく、通常の電話機能を用いて撮像操作を行うことが可能な携帯電話機、携帯電話機を用いた撮像システムおよび撮像方法を提供することである。
【課題を解決するための手段および発明の効果】
【００１１】
この発明の第１の局面による携帯電話機は、撮像部と、無線電話通信を行う第１通信部と、第１通信部を用いて操作側携帯電話機との通話を確立した状態で、操作側携帯電話機から送信された第１音声信号または第１トーン信号の少なくともいずれかに基づいて、撮像部の撮像動作を実行する制御部とを備える。
【００１２】
この発明の第１の局面による携帯電話機では、上記のように、制御部が、操作側携帯電話機から送信された第１音声信号または第１トーン信号の少なくともいずれかに基づいて、撮像部の撮像動作を実行することによって、ユーザがたとえば所定の掛け声などの第１音声信号を操作側携帯電話機を用いて携帯電話機に送信するか、または、ユーザが操作側携帯電話機を操作して第１トーン信号を携帯電話機に送信することにより、携帯電話機の撮像部に撮像動作を実行させることができる。ここで、音声信号およびトーン信号の送信機能は通常の電話機が備える電話機能である。したがって、専用の信号を送信する機能や文字メッセージを送信する機能を用いなくても、通常の電話機能を用いて操作側携帯電話機から送信された音声信号（第１音声信号）またはトーン信号（第１トーン信号）に基づいて、撮像部に対して撮像動作を実行させることができる。
【００１３】
上記第１の局面による携帯電話機において、好ましくは、第１音声信号または第１トーン信号の少なくともいずれかを記憶する記憶部をさらに備え、制御部は、操作側携帯電話機から送信された音声信号またはトーン信号の少なくともいずれかが、記憶部に記憶された第１音声信号または第１トーン信号の少なくともいずれかに一致した場合に、撮像部の撮像動作を実行する制御を行うように構成されている。このように構成すれば、撮像側の携帯電話機の制御部は、記憶部に記憶された第１音声信号または第１トーン信号と操作側携帯電話機から送信された音声信号またはトーン信号とを比較するだけで、容易に第１音声信号または第１トーン信号を認識して撮像部に撮像動作を実行させることができる。
【００１４】
上記第１の局面による携帯電話機において、好ましくは、制御部は、操作側携帯電話機から送信された第１音声信号に基づいて撮像部の撮像動作を実行するように構成されており、第１音声信号は、所定の音声パターンまたは所定の音量に関する信号である。このように構成すれば、たとえば操作側携帯電話機からユーザが一定以上の音量の音声を撮像側の携帯電話機に送信するだけで撮像動作を実行することができる。また、掛け声などの音声パターンを第１音声信号とする場合には、ユーザが撮像したいタイミングに合わせて所定の掛け声の音声を操作側携帯電話機から撮像側の携帯電話機に送信することによって、ユーザが撮像したいタイミングで撮像側の携帯電話機に撮像動作を実行させることができる。
【００１５】
この場合において、好ましくは、所定の音声パターンは、写真撮像に関する掛け声の音声パターンを含む。このように構成すれば、たとえば、所定の音声パターンとして「ハイ、ポーズ！」などの写真撮像時に用いられる掛け声を使用すれば、集合写真などを撮像する際に被写体となる人々に対しても撮像のタイミングを容易に認識させることができる。
【００１６】
上記第１の局面による携帯電話機において、好ましくは、制御部は、操作側携帯電話機から送信された第１トーン信号に基づいて撮像部の撮像動作を実行するように構成されており、第１トーン信号は、複数のトーン信号の所定の組み合わせを含む。このように構成すれば、たとえばダイヤルボタンの「１」、「２」、「１」の組み合わせに対応するトーン信号が撮像側の携帯電話機に送信された場合などに撮像動作を実行することができる。これにより、単一のボタン入力によって撮像動作を実行させる場合と異なり、誤ってダイヤルボタンを入力することに起因したユーザの意図しないタイミングでの撮像動作などを抑制することができる。
【００１７】
上記第１の局面による携帯電話機において、操作側携帯電話機と無線電話通信とは異なる無線通信を用いて通信可能に構成され、操作側携帯電話機の識別情報を取得可能な第２通信部をさらに備え、制御部は、操作側携帯電話機との通話を確立する際に、第２通信部により予め取得された識別情報に基づいて第１通信部を用いて操作側携帯電話機に対して電話発信を行うか、または、識別情報に対応する操作側携帯電話機からの電話着信を待ち受ける制御を行うように構成されている。このように構成すれば、撮像側の携帯電話機と操作側携帯電話機との通話を確立する際に第２通信部により識別情報を取得すれば、ユーザがたとえば撮像側の携帯電話機のいわゆる電話帳データから操作側携帯電話機の識別情報を検索する必要がない。これにより、撮像側の携帯電話機と操作側携帯電話機との通話状態の確立をより容易に行うことができる。
【００１８】
この場合において、好ましくは、制御部は、操作側携帯電話機との通話を確立する際に着信信号を検出すると、着信信号の識別情報を確認するとともに、着信信号の識別情報が操作側携帯電話機に対応する情報であると判断した場合に操作側携帯電話機との通話を確立する制御を行うように構成されている。このように構成すれば、着信信号の識別情報が操作側携帯電話機と異なる第三者の電話機に対応する情報であった場合に着信を拒否するなどによって、撮像側の携帯電話機を用いた撮像を行う際に第三者からの不意な着信によって撮像動作が妨げられるのを容易に抑制することができる。
【００１９】
上記第１の局面による携帯電話機において、好ましくは、制御部は、第１音声信号とは異なる第２音声信号または第１トーン信号とは異なる第２トーン信号の少なくともいずれかを受信すると、撮像部により撮像動作を実行する前に試写画像を撮像するとともに、操作側携帯電話機に対して撮像した試写画像を送信する制御を行うように構成されている。このように構成すれば、撮像動作を実行する前に、前もって試写画像を操作側携帯電話機の側で受信することができるので、ユーザが撮像される画像を事前に確認することができる。
【００２０】
この場合において、好ましくは、制御部は、第２音声信号または第２トーン信号の少なくともいずれかを受信した場合において、第１音声信号または第１トーン信号の少なくともいずれかに基づいて撮像動作を実行する際の画素数よりも少ない画素数で試写画像を撮像するとともに、撮像した試写画像のデータを圧縮した状態で操作側携帯電話機に対して送信する制御を行うように構成されている。このように構成すれば、試写画像のデータ量を少なくすることができるので、データ送信に要する時間を短くすることができる。これにより、撮影前の試写画像を用いた確認作業を円滑に行うことができる。
【００２１】
上記撮像動作を実行する前に試写画像を撮像する構成において、好ましくは、制御部は、試写画像に含まれる所定の画像領域を示す撮像領域情報を第１通信部を介して操作側携帯電話機から受信するとともに、撮像領域情報に基づき、第１音声信号または第１トーン信号の少なくともいずれかに基づいて撮像動作を実行する際の撮像領域を設定する制御を行うように構成されている。このように構成すれば、ユーザが試写画像から撮像したい領域を操作側携帯電話機から指定した後、この領域に基づいて撮像領域情報を撮像側の携帯電話機に送信することができるので、第１音声信号または第１トーン信号の少なくともいずれかに基づいて撮像動作を実行する際に、ユーザが所望する撮像領域を撮像することができる。
【００２２】
上記第１の局面による携帯電話機において、好ましくは、着信を受けた後の通話を録音する留守番電話モードまたは留守番転送モードを有し、制御部は、操作側携帯電話機との通話を確立する際に、留守番電話モードおよび留守番転送モードを解除する制御を行うように構成されている。このように構成すれば、撮像側の携帯電話機に留守番電話モードまたは留守番転送モードが設定されている場合にも、留守番電話モードおよび留守番転送モードを解除して着信を受けることができるので、操作側携帯電話機との通話を確立する際に確実に撮像側の携帯電話機と操作側携帯電話機との通話を確立することができる。
【００２３】
この発明の第２の局面による携帯電話機を用いた撮像システムは、操作側携帯電話機と、撮像部と、操作側携帯電話機との通話を確立した状態で、操作側携帯電話機から送信された所定の音声信号または所定のトーン信号の少なくともいずれかに基づいて、撮像部の撮像動作を実行する制御部とを含む携帯電話機とを備える。
【００２４】
この発明の第２の局面による携帯電話機を用いた撮像システムでは、上記のように、制御部が、操作側携帯電話機から送信された所定の音声信号または所定のトーン信号の少なくともいずれかに基づいて撮像部の撮像動作を実行することによって、ユーザがたとえば所定の掛け声などの所定の音声信号を操作側携帯電話機を用いて携帯電話機に送信するか、または、ユーザが操作側携帯電話機を操作して所定のトーン信号を携帯電話機に送信することにより、携帯電話機の撮像部に撮像動作を実行させることができる。ここで、音声信号およびトーン信号の送信機能は通常の電話機が備える電話機能である。したがって、専用の信号を送信する機能や文字メッセージを送信する機能を用いなくても、通常の電話機能を用いて操作側携帯電話機から送信された音声信号またはトーン信号に基づいて、撮像部に対して撮像動作を実行させることができる。
【００２５】
この発明の第３の局面による携帯電話機を用いた撮像方法は、撮像部を含む携帯電話機と操作側携帯電話機との通話を確立するステップと、操作側携帯電話機と携帯電話機との通話が確立された状態において、ユーザの操作に基づいて、操作側携帯電話機から携帯電話機に対して所定の音声信号または所定のトーン信号の少なくともいずれかを送信するステップと、携帯電話機が受信した所定の音声信号または所定のトーン信号の少なくともいずれかに基づいて、携帯電話機の撮像部の撮像動作を実行するステップとを備える。
【００２６】
この発明の第３の局面による携帯電話機を用いた撮像方法では、上記のように、操作側携帯電話機から送信された所定の音声信号または所定のトーン信号の少なくともいずれかに基づいて携帯電話機の撮像部の撮像動作を実行することによって、ユーザがたとえば所定の掛け声などの所定の音声信号を操作側携帯電話機を用いて携帯電話機に送信するか、または、ユーザが操作側携帯電話機を操作して所定のトーン信号を携帯電話機に送信することにより、携帯電話機の撮像部に撮像動作を実行させることができる。ここで、音声信号およびトーン信号の送信機能は通常の電話機が備える電話機能である。したがって、専用の信号を送信する機能や文字メッセージを送信する機能を用いなくても、通常の電話機能を用いて操作側携帯電話機から送信された音声信号またはトーン信号に基づいて、撮像部に対して撮像動作を実行させることができる。
【図面の簡単な説明】
【００２７】
【図１】本発明の第１実施形態によるカメラ側携帯電話機を用いた撮像システムの全体構成を示した図である。
【図２】本発明の第１実施形態によるカメラ側携帯電話機を説明するためのブロック図である。
【図３】図１に示した操作側携帯電話機を説明するためのブロック図である。
【図４】本発明の第１実施形態によるカメラ側携帯電話機を用いた撮像動作を説明するための図である。
【図５】本発明の第１実施形態によるカメラ側携帯電話機の撮像動作処理を説明するためのフロー図である。
【図６】本発明の第２実施形態によるカメラ側携帯電話機を説明するためのブロック図である。
【図７】図６に示したカメラ側携帯電話機により撮像されるプレビュー画像を説明するための図である。
【図８】図６に示したカメラ側携帯電話機により撮像される撮像画像を説明するための図である。
【図９】本発明の第２実施形態によるカメラ側携帯電話機の撮像動作処理を説明するためのフロー図である。
【図１０】本発明の第２実施形態によるカメラ側携帯電話機の撮像動作処理を説明するためのフロー図である。
【発明を実施するための形態】
【００２８】
以下、本発明の実施形態を図面に基づいて説明する。
【００２９】
（第１実施形態）
まず、図１〜図４を参照して、本発明の第１実施形態によるカメラ側携帯電話機１００および操作側携帯電話機２００からなる撮像システムの構成について説明する。なお、カメラ側携帯電話機１００は、本発明の「携帯電話機」の一例である。
【００３０】
本発明の第１実施形態によるカメラ側携帯電話機１００（図１参照）は、図２に示すように、ＣＰＵ１１と、電話通信部１２と、撮像を行う撮像部１３と、ＩＲ（赤外線）通信部１４と、Ｂｌｕｅｔｏｏｔｈ通信部１５（「Ｂｌｕｅｔｏｏｔｈ」は登録商標）と、不揮発性メモリ１６と、入力部１７と、表示部１８と、スピーカ１９と、マイク２０とを備える撮像機能（カメラ機能）を有する携帯電話機である。なお、ＣＰＵ１１は、本発明の「制御部」の一例であり、電話通信部１２は、本発明の「第１通信部」の一例である。また、ＩＲ（赤外線）通信部１４およびＢｌｕｅｔｏｏｔｈ通信部１５は、それぞれ、本発明の「第２通信部」の一例である。
【００３１】
ＣＰＵ１１は、カメラ側携帯電話機１００の制御を司る機能を有する。なお、ＣＰＵ１１については、後に詳細に説明する。また、電話通信部１２は、図示しない携帯電話会社の基地局と電波を送受信可能に構成されており、図示しない基地局を介して操作側携帯電話機２００（図１および図３参照）などの他の外線電話機と電話通信、データ通信およびテレビ電話通信などを行うことが可能なように構成されている。
【００３２】
ＩＲ（赤外線）通信部１４およびＢｌｕｅｔｏｏｔｈ通信部１５は、それぞれ、操作側携帯電話機２００（図１および図３参照）などの外部機器と無線電話通信とは異なる無線通信を用いてデータの送受信を行うことが可能なように構成されている。具体的には、ＩＲ通信部１４は赤外線通信により外部機器とのデータの送受信を行うとともに、Ｂｌｕｅｔｏｏｔｈ通信部１５は、Ｂｌｕｅｔｏｏｔｈ規格に定める近距離無線通信を行うことにより外部機器とのデータの送受信を行うように構成されている。これにより、ＩＲ通信部１４およびＢｌｕｅｔｏｏｔｈ通信部１５は、それぞれ、操作側携帯電話機２００の電話番号およびメールアドレスなどを受信するとともに、カメラ側携帯電話機１００の電話番号およびメールアドレスなどを接続された外部機器などに送信する機能を有する。
【００３３】
不揮発性メモリ１６は、カメラ側携帯電話機１００自身の電話番号、操作側携帯電話機２００などの他の携帯電話機の電話番号、ＣＰＵ１１の制御プログラム、および、撮像部１３により撮像された画像など各種データを格納する機能を有する。また、第１実施形態では、不揮発性メモリ１６は、音声パターン記憶部１６ａおよびトーン信号記憶部１６ｂを含んでいる。音声パターン記憶部１６ａは、所定の音量および所定の音声パターンの撮像用音声信号を記憶するように構成されている。この音声パターンは、写真撮影の際に使用される掛け声（たとえば、特定の音量の「ハイ、ポーズ！」という掛け声）などを含んでいる。また、トーン信号記憶部１６ｂは、所定の複数のトーン信号の組み合わせからなる撮像用トーン信号を記憶するように構成されている。なお、撮像用音声信号および撮像用トーン信号は、それぞれ、本発明の「第１音声信号」および「第１トーン信号」の一例である。また、音声パターン記憶部１６ａおよびトーン信号記憶部１６ｂは、それぞれ、本発明の「記憶部」の一例である。
【００３４】
トーン信号は、ＤＴＭＦ（Ｄｕａｌ−Ｔｏｎｅ  Ｍｕｌｔｉ−Ｆｒｅｑｕｅｎｃｙ）方式によって生成される信号である。トーン信号は、互いに音程（周波数）の異なる４種類の音からなる高群（高音群）に含まれる１音と、互いに音程（周波数）の異なる４種類の音からなる低群（低音群）に含まれる１音とが組み合わされた合成音であり、高群４種類×低群４種類＝１６種類の信号が生成されるように構成されている。通常、この１６種類トーン信号は、「０」〜「９」、「＊」および「＃」の１２種類のダイヤルボタンと対応付けて用いられる。トーン信号記憶部１６ｂは、このトーン信号を用いて、たとえばダイヤルボタンの「１」、「２」、「１」に対応する３つのトーン信号の組み合わせ（撮像用トーン信号）を記憶するように構成されている。なお、これらの撮像用音声信号（音声パターン）および撮像用トーン信号（トーン信号の組み合わせ）は、カメラ側携帯電話機１００のユーザによって予め登録可能であるように構成されている。
【００３５】
入力部１７は、通話接続ボタン１７ａ、切断ボタン１７ｂ、ダイヤルボタン１７ｃ（「０」〜「９」、「＊」および「＃」）および選択操作ボタン１７ｄなどの複数のボタンを含んでいる。ダイヤルボタン１７ｃ（「０」〜「９」、「＊」および「＃」）は、電話番号のダイヤル入力などに用いるボタンである。選択操作ボタン１７ｄは、ユーザが押下することにより、表示部１８に表示される操作画面における各種操作を行うボタンである。たとえば、ユーザが選択操作ボタン１７ｄを用いて所定の入力を行うことにより、ＣＰＵ１１を後述するリモート撮像モードに切り替え可能に構成されている。また、この選択操作ボタン１７ｄにより、不揮発性メモリ１６に記憶された電話帳データに登録されている複数の識別情報（電話番号）から遠隔撮影に用いる操作側携帯電話機２００の識別情報を選択することも可能である。
【００３６】
また、表示部１８は、ユーザがカメラ側携帯電話機１００を操作する際の操作画面および撮像部１３により撮像された画像を表示する機能を有する。
【００３７】
また、スピーカ１９は、電話通信部１２を介して受信した音声やＣＰＵ１１から入力された音声を出力する機能を有する。また、マイク２０は、音声を検出してＣＰＵ１１に対して出力する機能を有する。
【００３８】
ここで、第１実施形態では、カメラ側携帯電話機１００は、図１に示すように、後述するリモート撮像モードにおいて、ユーザ（操作者４０）が操作側携帯電話機２００を操作することにより、撮像領域５０内の被写体５１を撮像することが可能なように構成されている。すなわち、カメラ側携帯電話機１００のＣＰＵ１１（図２参照）は、リモート撮像モードにおいて、ユーザ（操作者４０）の操作側携帯電話機２００の操作に基づいて、撮像部１３（図２参照）の撮像動作を実行することが可能なように構成されている。このため、カメラ側携帯電話機１００は、三脚６０に設置可能に構成されている。このように、第１実施形態による携帯電話機を用いた撮像システムは、操作側携帯電話機２００からカメラ側携帯電話機１００を遠隔操作することによって、図４に示すようにユーザ（操作者４０）自身も撮像領域５０内の被写体として集合写真の撮像などを可能とするものである。
【００３９】
図２に示すように、ＣＰＵ１１は、電話通信部１２により操作側携帯電話機２００などの外線電話機と外線接続され、通話可能な電話モードによりカメラ側携帯電話機１００の制御を行うように構成されている。また、ＣＰＵ１１は、撮像部１３が撮像動作を実施することが可能な撮像モードによりカメラ側携帯電話機１００の制御を行うように構成されている。この撮像モードは、ユーザが入力部１７に所定の入力を行うことにより、通話モードから切替可能である。また、ＣＰＵ１１は、電話モードおよび撮像モードに加えて、カメラ側携帯電話機１００が操作側携帯電話機２００との通話を確立した状態で、撮像部１３の撮像動作を実行することが可能なリモート撮像モードに切替可能に構成されている。以下、リモート撮像モードにおけるＣＰＵ１１の制御について説明する。
【００４０】
リモート撮像モードにおいて、ＣＰＵ１１は、操作側携帯電話機２００との通話を確立した状態で、操作側携帯電話機２００から送信される音声信号またはトーン信号に基づいて、撮像部１３の撮像動作を行うように構成されている。
【００４１】
操作側携帯電話機２００から音声信号が送信される場合には、ＣＰＵ１１は、操作側携帯電話機２００から送信された音声信号と、不揮発性メモリ１６の音声パターン記憶部１６ａに予め登録された撮像用音声信号（たとえば、特定の音量の「ハイ、ポーズ！」という掛け声）とを比較することによって、受信した音声信号を認識するように構成されている。このような音声信号（撮像用音声信号）は、カメラ側携帯電話機１００と操作側携帯電話機２００との通話中に、ユーザ（操作者４０）の声を後述する操作側携帯電話機２００のマイク２９（図１参照）に入力することによってカメラ側携帯電話機１００に送信される。
【００４２】
また、操作側携帯電話機２００からトーン信号が送信される場合には、ＣＰＵ１１は、操作側携帯電話機２００から送信されたトーン信号と、不揮発性メモリ１６のトーン信号記憶部１６ｂに予め登録された撮像用トーン信号（たとえば、「１」、「２」、「１」に対応するトーン信号）とを比較することによって、受信したトーン信号を解釈するように構成されている。このようなトーン信号（撮像用トーン信号）は、カメラ側携帯電話機１００と操作側携帯電話機２００との通話中に、ユーザ（操作者４０）が後述する操作側携帯電話機２００のダイヤルボタン２６ｃ（図１参照）を入力することによってカメラ側携帯電話機１００に送信される。
【００４３】
また、ＣＰＵ１１は、留守番電話モードまたは留守番転送モードを設定することによって、着信信号を検出した場合に応答メッセージの再生やメッセージの録音、または他の電話番号に転送を行うことが可能なように構成されている。ＣＰＵ１１は、リモート撮像モードにおいては、操作側携帯電話機２００との通話を確立する際にこの留守番電話モードおよび留守番転送モードを一時的に解除するように構成されている。
【００４４】
また、ＣＰＵ１１は、着信信号を検出すると、着信信号の識別情報（電話番号）を確認するとともに、着信信号の識別情報（電話番号）が操作側携帯電話機２００の識別情報（電話番号）であると判断した場合に操作側携帯電話機２００との通話を確立する制御を行うように構成されている。なお、リモート撮像モードにおいて、着信信号の発信元の識別情報（電話番号）が操作側携帯電話機２００の識別情報（電話番号）でない場合には、ＣＰＵ１１は着信を拒否するように構成されている。
【００４５】
次に、操作側携帯電話機２００の構成について説明する。
【００４６】
本発明の第１実施形態による操作側携帯電話機２００（図１参照）は、図３に示すように、ＣＰＵ２１と、電話通信部２２と、ＩＲ通信部２３と、Ｂｌｕｅｔｏｏｔｈ通信部２４と、不揮発性メモリ２５と、入力部２６と、表示部２７と、音声を出力するスピーカ２８と、音声を検出するマイク２９とを備える携帯電話機である。
【００４７】
ＣＰＵ２１は、操作側携帯電話機２００の制御を司る機能を有する。ＣＰＵ２１は、カメラ側携帯電話機１００との通話が確立された状態において、マイク２９から入力された音声信号を電話通信部２２を用いてカメラ側携帯電話機１００に対して送信する機能を有する。また、ＣＰＵ２１は、後述するダイヤルボタン２６ｃ（「０」〜「９」、「＊」および「＃」ボタン）に対応するトーン信号を生成するとともに、電話通信部２２を用いて押下されたダイヤルボタン２６ｃ（「０」〜「９」、「＊」および「＃」）に対応するトーン信号をカメラ側携帯電話機１００に対して送信する機能を有する。また、電話通信部２２は、図示しない携帯電話会社の基地局と電波を送受信可能に構成されており、図示しない基地局を介して上記カメラ側携帯電話機１００（図２参照）など他の外線電話機と電話通信、データ通信およびテレビ電話通信などを行うことが可能なように構成されている。
【００４８】
ＩＲ通信部２３およびＢｌｕｅｔｏｏｔｈ通信部２４は、それぞれ、カメラ側携帯電話機１００など外部機器と無線電話通信とは異なる無線通信（赤外線通信およびＢｌｕｅｔｏｏｔｈ規格に基づく近距離無線通信）を用いてデータの送受信を行うことが可能なように構成されている。ＩＲ通信部２３およびＢｌｕｅｔｏｏｔｈ通信部２４は、それぞれ、カメラ側携帯電話機１００の電話番号およびメールアドレスなどを受信するとともに、操作側携帯電話機２００の電話番号およびメールアドレスなどを接続された外部機器（カメラ側携帯電話機１００）などに送信する機能を有する。また、Ｂｌｕｅｔｏｏｔｈ通信部２４は、カメラ側携帯電話機１００のＢｌｕｅｔｏｏｔｈ通信部１５と相互にデータ通信ができるように、予めペアリングパスキーを設定可能に構成されている。これにより、カメラ側携帯電話機１００のＢｌｕｅｔｏｏｔｈ通信部１５と操作側携帯電話機２００のＢｌｕｅｔｏｏｔｈ通信部２４とに予めペアリングパスキーが設定されている場合には、操作側携帯電話機２００の電話番号およびメールアドレスなどの識別情報をカメラ側携帯電話機１００のＢｌｕｅｔｏｏｔｈ通信部１５に送信することが可能となる。
【００４９】
不揮発性メモリ２５は、操作側携帯電話機２００自身の電話番号およびメールアドレス、カメラ側携帯電話機１００など他人の電話番号、ＣＰＵ２１の制御プログラムなど各種データを格納する機能を有する。
【００５０】
入力部２６は、通話接続ボタン２６ａ、切断ボタン２６ｂ、ダイヤルボタン２６ｃ（「０」〜「９」、「＊」および「＃」）および選択操作ボタン２６ｄなど、複数のボタンを含んでいる。ダイヤルボタン２６ｃは、「０」〜「９」、「＊」および「＃」のいずれかのボタン（ダイヤルボタン２６ｃ）をユーザ（操作者４０）が押下することにより、押下されたダイヤルボタン２６ｃに対応するダイヤル入力を行うボタンである。このダイヤル入力に基づき、ＣＰＵ２１によりダイヤル入力に対応したトーン信号が操作側携帯電話機２００からカメラ側携帯電話機１００に対して送信される。選択操作ボタン２６ｄは、ユーザが押下することにより、表示部２７に表示される操作画面における各種操作（項目選択や領域指定など）を行うボタンである。また、ユーザは、この選択操作ボタン２６ｄを用いて、カメラ側携帯電話機１００に操作側携帯電話機２００の識別情報（電話番号）を送信するために、ＩＲ通信部２３（赤外線通信機能）およびＢｌｕｅｔｏｏｔｈ通信部２４（Ｂｌｕｅｔｏｏｔｈ通信機能）を起動させる操作などを行うことが可能である。
【００５１】
また、表示部２７は、ユーザが操作側携帯電話機２００を操作する際の操作画面などを表示する機能を有する。
【００５２】
また、第１実施形態では、スピーカ２８は、電話通信部２２を介して受信した音声やＣＰＵ２１から入力された音声を出力する機能を有する。また、マイク２９は、音声を検出してＣＰＵ２１に対して出力する機能を有する。このマイク２９に対してユーザ（操作者４０）が発声することによって、カメラ側携帯電話機１００の音声パターン記憶部１６ａに登録した撮像用音声信号（たとえば、特定の音量の「ハイ、ポーズ！」という掛け声）を操作側携帯電話機２００からカメラ側携帯電話機１００に送信するように構成されている。
【００５３】
次に、図１、図４および図５を参照して、本発明の第１実施形態によるリモート撮像モードにおけるカメラ側携帯電話機１００の撮像動作制御フローについて説明する。
【００５４】
まず、第１実施形態によるリモート撮像モードにおけるカメラ側携帯電話機１００の撮像動作の概要を説明する。図１に示すように、カメラ側携帯電話機１００をリモート撮像モードに設定した状態で、操作者４０が操作側携帯電話機２００からカメラ側携帯電話機１００に対して発信する（電話をかける）。カメラ側携帯電話機１００は、操作側携帯電話機２００からの着信信号を検出すると、通話を確立し、操作側携帯電話機２００からの音声信号またはトーン信号の送信を待ち受ける。その後、図４に示すように、操作側携帯電話機２００を所持する操作者４０がカメラ側携帯電話機１００の撮像領域５０内に移動して、操作側携帯電話機２００のマイク２９に対して発声するか、またはダイヤルボタン２６ｃを押下することにより、撮像用音声信号または撮像用トーン信号をカメラ側携帯電話機１００に送信する。そして、送信された撮像用音声信号または撮像用トーン信号に基づき、カメラ側携帯電話機１００の撮像部１３による撮像動作が実行される。このようにして、操作者４０が操作側携帯電話機２００を用いてカメラ側携帯電話機１００による遠隔撮像の操作制御を行う。以下、リモート撮像モードにおけるカメラ側携帯電話機１００の撮像動作制御フローを詳細に説明する。
【００５５】
まず、図５に示すように、ステップＳ１において、操作者４０による入力部１７を用いた操作入力に基づき、カメラ側携帯電話機１００がリモート撮像モードに切り替えられる。これにより、ＣＰＵ１１によりリモート撮像モードが起動される。
【００５６】
ステップＳ２〜Ｓ８では、通信先（操作側携帯電話機２００）を特定する処理が行われる。すなわち、ステップＳ２において、ＣＰＵ１１により、Ｂｌｕｅｔｏｏｔｈ通信部１５（Ｂｌｕｅｔｏｏｔｈ機能）が有効か否かが判断される。Ｂｌｕｅｔｏｏｔｈ機能が無効である場合には、ステップＳ５に移行する。Ｂｌｕｅｔｏｏｔｈ機能が有効である場合には、ステップＳ３に進み、カメラ側携帯電話機１００の通信範囲内にあるＢｌｕｅｔｏｏｔｈ機器（操作側携帯電話機２００）の検索を行う。具体的には、Ｂｌｕｅｔｏｏｔｈ通信部１５に予めペアリングパスキーが設定されている場合に、Ｂｌｕｅｔｏｏｔｈ通信部１５と同一のペアリングパスキーが設定されているＢｌｕｅｔｏｏｔｈ通信部２４を有する操作側携帯電話機２００の存在が検索される。カメラ側携帯電話機１００の通信可能範囲内に操作側携帯電話機２００が存在する場合には、操作側携帯電話機２００が接続可能なデバイスとして認識されるとともに、操作側携帯電話機２００のＢｌｕｅｔｏｏｔｈ通信部２４を介して操作側携帯電話機２００の電話番号および電子メールアドレスなどの識別情報が受信される。一方、操作側携帯電話機２００がカメラ側携帯電話機１００の通信範囲内に無い場合や、操作側携帯電話機２００のＢｌｕｅｔｏｏｔｈ通信部２４にペアリングパスキーが設定されていない場合などには、操作側携帯電話機２００の電話番号およびメールアドレスなどの識別情報は受信されない。
【００５７】
ステップＳ４では、ＣＰＵ１１により、Ｂｌｕｅｔｏｏｔｈ通信部１５を介して操作側携帯電話機２００の電話番号およびメールアドレスなどの識別情報が受信されたか否かが判断される。操作側携帯電話機２００の識別情報が受信された場合には、ステップＳ９に進む。一方、操作側携帯電話機２００の識別情報が受信されない場合には、ステップＳ５に進む。
【００５８】
ステップＳ５では、ＣＰＵ１１により、ＩＲ通信部１４（ＩＲ通信機能）が有効か否かが判断される。ＩＲ通信機能が無効である場合には、ステップＳ８に移行する。ＩＲ通信機能が有効である場合には、ステップＳ６に進み、カメラ側携帯電話機１００の通信範囲内にあるＩＲ通信機器（操作側携帯電話機２００）の検索を行う。具体的には、操作側携帯電話機２００のＩＲ通信部２３がユーザの操作に基づいて起動されるとともに操作側携帯電話機２００の識別情報（電話番号）を送信可能な状態にされた場合には、カメラ側携帯電話機１００のＩＲ通信部１４からデータ要求送信がされる。カメラ側携帯電話機１００の通信可能範囲内に操作側携帯電話機２００が存在する場合には、操作側携帯電話機２００のＩＲ通信部２３を介して赤外線通信によって操作側携帯電話機２００の電話番号およびメールアドレスなどの識別情報が受信される。一方、操作側携帯電話機２００がＩＲ通信の可能な範囲内に無い場合や、操作側携帯電話機２００のＩＲ通信機能（ＩＲ通信部２３）が無効である場合などには、操作側携帯電話機２００から操作側携帯電話機２００の識別情報は受信されない。
【００５９】
ステップＳ７では、ＣＰＵ１１により、ＩＲ通信部１４を介して操作側携帯電話機２００の電話番号およびメールアドレスなどの識別情報が受信されたか否かが判断される。つまり、カメラ側携帯電話機１００のＩＲ通信部１４によるデータ要求送信に応じて、操作側携帯電話機２００のＩＲ通信部２３からカメラ側携帯電話機１００のＩＲ通信部１４に操作側携帯電話機２００の電話番号およびメールアドレスなどの識別情報が送信されたか否かが判断される。操作側携帯電話機２００の識別情報がＩＲ通信部１４を介して受信された場合には、ステップＳ９に進む。一方、操作側携帯電話機２００の識別情報がＩＲ通信部１４を介して受信されない場合には、ステップＳ８に進む。
【００６０】
ステップＳ８では、操作者４０が入力部１７を用いてカメラ側携帯電話機１００の不揮発性メモリ１６に記憶されたデータ（電話帳データ）を検索することによって、操作側携帯電話機２００の電話番号を選択する。なお、操作者４０がカメラ側携帯電話機１００のダイヤルボタン１７ｃを用いて操作側携帯電話機２００の電話番号を直接入力してもよい。以上のステップＳ２〜Ｓ８によって、操作側携帯電話機２００の識別情報が特定される。
【００６１】
ステップＳ９では、ＣＰＵ１１により、カメラ側携帯電話機１００の留守番電話モードおよび留守番転送モードが解除される。これにより、識別情報が特定された操作側携帯電話機２００からの着信が留守番電話機能によって妨げられることがなくなる。なお、カメラ側携帯電話機１００の留守番電話モードおよび留守番転送モードが設定されていない場合には、そのままステップＳ１０に進む。
【００６２】
ステップＳ１０では、ＣＰＵ１１により、操作側携帯電話機２００からの着信の有無が判断される。具体的には、着信信号を検出した場合に、ＣＰＵ１１により発信元の識別情報（電話番号）が確認されるとともに、操作側携帯電話機２００の識別情報（電話番号）と比較される。この際、特定された操作側携帯電話機２００の電話番号以外の電話番号からの着信があった場合には、ステップＳ１１に移行して、着信を拒否する。そして、ステップＳ１０に戻り、再度操作側携帯電話機２００からの着信の有無が判断される。
【００６３】
その後、図１に示すように、操作者４０が操作側携帯電話機２００を操作してカメラ側携帯電話機１００に対して発信し、ＣＰＵ１１により操作側携帯電話機２００からの着信信号が検出されると、ステップＳ１２に進み、通話が確立される。このステップＳ１２以降の処理において操作側携帯電話機２００から通話を切断するまでは、図４に示すように、通話が確立された状態で処理が行われる。
【００６４】
ステップＳ１３では、ＣＰＵ１１により、操作側携帯電話機２００から信号（音声信号またはトーン信号）が受信されたか否かが判断される。受信が確認されない場合には、ステップＳ１９に進む。操作側携帯電話機２００から信号（音声信号またはトーン信号）が受信された場合には、ステップＳ１４に進む。
【００６５】
ステップＳ１４では、ＣＰＵ１１により、受信された信号がトーン信号であるか否かが判断され、トーン信号である場合には、ステップＳ１５に進む。一方、受信された信号がトーン信号以外の音声信号である場合には、ステップＳ１６に進む。
【００６６】
ステップＳ１５では、ＣＰＵ１１により、受信されたトーン信号が解釈される。具体的には、受信されたトーン信号の組み合わせと、不揮発性メモリ１６のトーン信号記憶部１６ｂに登録された撮像用トーン信号（たとえば、「１」、「２」、「１」の３つの数字に対応するトーン信号の組み合わせ）とを比較することによってトーン信号が解釈される。
【００６７】
また、受信された信号がトーン信号以外の音声信号である場合には、ステップＳ１６において、ＣＰＵ１１により、受信された音声信号の音声認識が実行される。具体的には、不揮発性メモリ１６の音声パターン記憶部１６ａに予め登録された撮像用音声信号の音量および音声パターン（たとえば、特定の音量の「ハイ、ポーズ！」という掛け声）と、受信された音声信号の音量および音声パターンとを比較することによって音声信号が認識される。
【００６８】
ステップＳ１７では、受信したトーン信号（ステップＳ１５の場合）がトーン信号記憶部１６ｂに登録された撮像用トーン信号と一致したか、または、受信した音声信号（ステップＳ１６の場合）が音声パターン記憶部１６ａに登録された撮像用音声信号と一致したか否かが判断される。受信した信号（トーン信号または音声信号）が登録された撮像用信号（撮像用トーン信号または撮像用音声信号）と一致している場合には、ステップＳ１８に進む。一方、受信した信号（トーン信号または音声信号）が登録された撮像用信号（撮像用トーン信号または撮像用音声信号）と一致しない場合には、ステップＳ１９に進む。
【００６９】
ステップＳ１８では、受信した撮像用トーン信号または撮像用音声信号に基づき、ＣＰＵ１１により撮像部１３の撮像動作が実行される。そして、ステップＳ１９に進み、ＣＰＵ１１により通話の切断が検知されたか否かが判断される。操作者４０がそのまま撮像を継続したい場合には、操作側携帯電話機２００側で通話を切断することなく再び信号をカメラ側携帯電話機１００に送信することにより、再度ステップＳ１３〜Ｓ１８までの動作が繰り返される。操作者４０が操作側携帯電話機２００の切断ボタン２６ｂを押下して通話を切断すれば、カメラ側携帯電話機１００のＣＰＵ１１により通話の切断が検知されて、ステップＳ２０に進む。そして、ステップＳ２０において、ＣＰＵ１１によりリモート撮像モードが解除されて、留守番電話モードおよび留守番転送モードの設定が元の状態に戻される。
【００７０】
以上により、第１実施形態によるカメラ側携帯電話機１００のリモート撮像モードにおける撮像動作制御が終了する。
【００７１】
第１実施形態では、上記のように、ＣＰＵ１１が、操作側携帯電話機２００から送信された撮像用音声信号（たとえば、特定の音量の「ハイ、ポーズ！」という掛け声）または撮像用トーン信号（たとえば、「１」、「２」、「１」の３つの数字に対応するトーン信号の組み合わせ）の少なくともいずれかに基づいて、撮像部１３の撮像動作を実行する。このように構成することによって、ユーザ（操作者４０）が操作側携帯電話機２００のマイク２９を用いて撮像用音声信号をカメラ側携帯電話機１００に送信するか、または、ユーザ（操作者４０）が操作側携帯電話機２００のダイヤルボタン２６ｃを操作して撮像用トーン信号をカメラ側携帯電話機１００に送信することにより、カメラ側携帯電話機１００の撮像部１３に撮像動作を実行させることができる。ここで、音声信号およびトーン信号の送信機能は通常の電話機が備える電話機能である。したがって、専用の信号を送信する機能や文字メッセージを送信する機能を用いなくても、通常の電話機能を用いて操作側携帯電話機２００から送信された音声信号（撮像用音声信号）またはトーン信号（撮像用トーン信号）に基づいて、撮像部１３に対して撮像動作を実行させることができる。
【００７２】
また、第１実施形態では、上記のように、ＣＰＵ１１を、操作側携帯電話機２００から送信された音声信号またはトーン信号の少なくともいずれかが、音声パターン記憶部１６ａに記憶された撮像用音声信号またはトーン信号記憶部１６ｂに記憶された撮像用トーン信号の少なくともいずれかに一致した場合に、撮像部１３の撮像動作を実行するように構成することによって、カメラ側携帯電話機１００のＣＰＵ１１は、音声パターン記憶部１６ａに記憶された撮像用音声信号またはトーン信号記憶部１６ｂに記憶された撮像用トーン信号と操作側携帯電話機２００から送信された音声信号またはトーン信号とを比較するだけで、容易に撮像用音声信号または撮像用トーン信号を容易に認識して撮像部１３に撮像動作を実行させることができる。
【００７３】
また、第１実施形態では、上記のように、撮像用音声信号を、所定の音声パターンまたは所定の音量に関する信号とすることによって、たとえば操作側携帯電話機２００のマイク２９からユーザ（操作者４０）が一定以上の音量の音声をカメラ側携帯電話機１００に送信するだけで撮像動作を実行することができる。また、掛け声などの音声パターンを撮像用音声信号とする場合には、ユーザ（操作者４０）が撮像したいタイミングに合わせて所定の掛け声の音声（撮像用音声信号）を操作側携帯電話機２００からカメラ側携帯電話機１００に送信することによって、ユーザ（操作者４０）が撮像したいタイミングでカメラ側携帯電話機１００に撮像動作を実行させることができる。
【００７４】
また、第１実施形態では、上記のように、所定の音声パターンを、「ハイ、ポーズ！」などの写真撮像に関する掛け声の音声パターンとすることによって、集合写真などを撮像する際に被写体５１となる人々に対しても撮像のタイミングを容易に認識させることができる。
【００７５】
また、第１実施形態では、上記のように、撮像用トーン信号を、複数のトーン信号の所定の組み合わせ（たとえばダイヤルボタンの「１」、「２」、「１」の組み合わせ）とすることによって、撮像用トーン信号と一致する組み合わせのトーン信号が操作側携帯電話機２００からカメラ側携帯電話機１００に送信された場合に撮像動作を実行することができる。これにより、単一のダイヤルボタン２６ｃの入力によって撮像動作を実行させる場合と異なり、誤ってダイヤルボタン２６ｃを入力することに起因したユーザ（操作者４０）の意図しないタイミングでの撮像動作などを抑制することができる。
【００７６】
また、第１実施形態では、上記のように、ＣＰＵ１１を、操作側携帯電話機２００との通話を確立する際に、ＩＲ通信部１４またはＢｌｕｅｔｏｏｔｈ通信部１５により予め取得された識別情報に基づいて電話通信部１２を用いて識別情報に対応する操作側携帯電話機２００からの電話着信を待ち受けるように構成することによって、カメラ側携帯電話機１００と操作側携帯電話機２００との通話を確立する際にＩＲ通信部１４またはＢｌｕｅｔｏｏｔｈ通信部１５により識別情報を取得すれば、ユーザ（操作者４０）がたとえばカメラ側携帯電話機１００の不揮発性メモリ１６に記憶された電話帳データから操作側携帯電話機２００の識別情報を検索する必要がない。これにより、カメラ側携帯電話機１００と操作側携帯電話機２００との通話状態の確立をより容易に行うことができる。
【００７７】
また、第１実施形態では、上記のように、ＣＰＵ１１を、リモート撮像モード時に着信信号を検出すると、着信信号の識別情報（電話番号）を確認するとともに、着信信号の識別情報が操作側携帯電話機２００に対応する情報であると判断した場合に操作側携帯電話機２００との通話を確立するように構成することによって、着信信号の識別情報が操作側携帯電話機２００と異なる第三者の電話機に対応する情報であった場合に着信を拒否することによって、リモート撮像モードにおいて第三者からの不意な着信によって撮像動作が妨げられるのを容易に抑制することができる。
【００７８】
また、第１実施形態では、上記のように、ＣＰＵ１１を、リモート撮像モード時に留守番電話モードおよび留守番転送モードを解除するように構成することによって、カメラ側携帯電話機１００に留守番電話モードまたは留守番転送モードが設定されている場合にも、留守番電話モードおよび留守番転送モードを解除して着信を受けることができるので、リモート撮像モード時に確実にカメラ側携帯電話機１００と操作側携帯電話機２００との通話を確立することができる。
【００７９】
（第２実施形態）
次に、図６〜図８を参照して、本発明の第２実施形態によるカメラ側携帯電話機３００について説明する。この第２実施形態では、操作側携帯電話機２００からの所定の音声信号または所定のトーン信号に基づいてカメラ側携帯電話機１００が撮像を行うように構成した上記第１実施形態に加えて、操作側携帯電話機２００からの所定の音声信号または所定のトーン信号に基づいて、カメラ側携帯電話機３００からプレビュー画像の送信および撮像領域の指定を受け付けるように構成した例について説明する。なお、カメラ側携帯電話機３００は、本発明の「携帯電話機」の一例である。
【００８０】
第２実施形態によるカメラ側携帯電話機３００は、図６に示すように、ＣＰＵ３１１と、電話通信部１２と、撮像部１３と、ＩＲ通信部１４と、Ｂｌｕｅｔｏｏｔｈ通信部１５と、不揮発性メモリ３１６と、入力部１７と、表示部１８と、スピーカ１９と、マイク２０とを備えている。なお、第２実施形態によるカメラ側携帯電話機３００において、上記第１実施形態によるカメラ側携帯電話機１００と同一の構成を有する部分には、同一の符号を用いた。また、ＣＰＵ３１１は、本発明の「制御部」の一例である。
【００８１】
第２実施形態では、カメラ側携帯電話機３００は、操作側携帯電話機２００から送信される複数の異なる音声信号またはトーン信号に基づいて、撮像動作とプレビュー撮像動作とをそれぞれ行うことが可能なように構成されている。
【００８２】
第２実施形態では、不揮発性メモリ３１６は、撮像用音声信号を記憶する音声パターン記憶部１６ａおよび撮像用トーン信号を記憶するトーン信号記憶部１６ｂに加えて、プレビュー用音声パターン記憶部３１６ａおよびプレビュー用トーン信号記憶部３１６ｂとを含んでいる。プレビュー用音声パターン記憶部３１６ａは、撮像用音声信号（たとえば、特定の音量の「ハイ、ポーズ！」という掛け声）とは異なる音量および音声パターンを有するプレビュー用音声信号を記憶するように構成されている。また、プレビュー用トーン信号記憶部３１６ｂは、撮像用トーン信号（たとえば、「１」、「２」、「１」に対応するトーン信号）とは異なるトーン信号の組み合わせからなるプレビュー用トーン信号を記憶するように構成されている。これらのプレビュー用音声信号（音声パターン）およびプレビュー用トーン信号（トーン信号の組み合わせ）は、カメラ側携帯電話機３００のユーザにより予め登録される。なお、プレビュー用音声信号およびプレビュー用トーン信号は、それぞれ、本発明の「第２音声信号」および「第２トーン信号」の一例である。
【００８３】
第２実施形態では、ＣＰＵ３１１は、操作側携帯電話機２００から送信された音声パターンが不揮発性メモリ３１６のプレビュー用音声パターン記憶部３１６ａに記憶された音声パターン（プレビュー用音声信号）と一致するか、または、操作側携帯電話機２００から送信されたトーン信号がプレビュー用トーン信号記憶部３１６ｂに記憶されたトーン信号の組み合わせ（プレビュー用トーン信号）と一致する場合には、後述する撮像部１３のプレビュー撮像動作を行うように構成されている。そして、ＣＰＵ３１１は、撮像されたプレビュー画像３５０（図７参照）の画像データを圧縮して操作側携帯電話機２００に送信するように構成されている。なお、プレビュー画像３５０は、本発明の「試写画像」の一例である。
【００８４】
プレビュー撮像動作とは、撮像用信号（撮像用音声信号または撮像用トーン信号）に基づいて撮像動作を実行する際の画素数（たとえば、２０４８×１５３６画素（約３００万画素））よりも少ない画素数（たとえば、１２８０×７６８画素（約１００万画素））を有するプレビュー画像３５０の撮像を行う撮像動作である。プレビュー撮像動作を行う際の画素数を減じる方法としては、たとえば、撮像部１３により撮像された画像の画素（たとえば、２０４８×１５３６画素）を所定のパターンで間引く方法や、撮像部１３により撮像された画像の画素毎に、近傍画素の画素値を加重平均する方法などを用いる。このプレビュー撮像動作においては、ＣＰＵ３１１は、動画または静止画のいずれかのプレビュー画像３５０の撮像を実行するように構成されている。
【００８５】
プレビュー撮像動作において動画のプレビュー画像３５０を撮像する場合には、ＣＰＵ３１１は、プレビュー撮像動作によって取得された動画を所定の圧縮方式（Ｍｐｅｇなど）によって圧縮するとともに、電話通信部１２を用いたテレビ電話通信によって操作側携帯電話機２００にプレビュー画像３５０を送信するように構成されている。また、プレビュー撮像動作において静止画のプレビュー画像３５０を撮像する場合には、ＣＰＵ３１１は、プレビュー撮像動作によって取得された静止画を所定の圧縮方式（Ｊｐｅｇなど）によって圧縮するとともに、電話通信部１２を用いてデータ通信（電子メールなど）によって操作側携帯電話機２００にプレビュー画像３５０を送信するように構成されている。この場合、ＣＰＵ３１１は、間欠的に静止画（プレビュー画像３５０）の撮像を実行するとともに、継続して操作側携帯電話機２００に送信するように構成されている。
【００８６】
また、図７に示すように、ＣＰＵ３１１は、プレビュー画像３５０に含まれる所定の撮像領域３５１（一点鎖線で囲まれた領域）を示す撮像領域情報を電話通信部１２を介して操作側携帯電話機２００から受信するように構成されている。そして、ＣＰＵ３１１は、受信した撮像領域情報に基づき、撮像用音声信号または撮像用トーン信号に基づいて撮像動作を実行する際の撮像領域を設定する制御を行うように構成されている。この結果、図８に示すように、撮像用音声信号または撮像用トーン信号に基づいて撮像される撮像画像３６０の撮像領域が、撮像領域３５１に合致した状態で撮像されるように構成されている。第２実施形態では、このように、撮像画像３６０を撮像する際の撮像領域（図７の撮像領域３５１）を、ユーザ（操作者４０）がプレビュー画像３５０を見ながら選択することが可能である。
【００８７】
また、第２実施形態では、操作側携帯電話機２００は、カメラ側携帯電話機３００から受信したプレビュー画像３５０を表示部２７に表示するように構成されている。この際、ユーザ（操作者４０）が表示部２７に表示されたプレビュー画像３５０から選択操作ボタン２６ｄなどを用いて撮像領域３５１を選択すると、操作側携帯電話機２００のＣＰＵ２１は、撮像領域情報を生成するとともに、トーン信号により送信されるように構成されている。この撮像領域情報は、たとえば、撮像領域３５１の対角の座標情報などによって構成されている。
【００８８】
なお、第２実施形態のその他の構成は、上記第１実施形態と同様である。
【００８９】
次に、図７〜図１０を参照して、本発明の第２実施形態によるリモート撮像モードにおけるカメラ側携帯電話機３００の撮像動作制御フローについて説明する。
【００９０】
まず、図９に示すように、ステップＳ３１において、操作者４０による入力部１７を用いた操作入力に基づき、カメラ側携帯電話機３００がリモート撮像モードに切り替えられる。すなわち、操作者４０による操作入力に基づき、ＣＰＵ３１１によりリモート撮像モードが起動される。
【００９１】
ステップＳ３２では、通信先（操作側携帯電話機２００）を特定する処理が行われる。すなわち、ＣＰＵ３１１により、Ｂｌｕｅｔｏｏｔｈ通信部１５を用いた通信、ＩＲ通信部１４を用いた通信または操作者４０が入力部１７を用いてカメラ側携帯電話機３００の不揮発性メモリ３１６に記憶されたデータ（電話帳データ）を検索するなどの方法によって、操作側携帯電話機２００の識別情報が取得される。この際、ＩＲ通信またはＢｌｕｅｔｏｏｔｈによる近距離無線通信が行われる場合には、ステップＳ４１において、操作側携帯電話機２００のＣＰＵ２１により、ＩＲ通信部２３を用いた通信接続、または、Ｂｌｕｅｔｏｏｔｈ通信部２４を介して通信接続が行われることにより、識別情報の送受信が実行される。なお、このステップＳ３２の処理は、上記第１実施形態の撮像動作制御フローにおけるステップＳ２〜Ｓ８までの処理と同様であるので、詳細な説明を省略する。
【００９２】
ステップＳ３３では、ＣＰＵ３１１により、カメラ側携帯電話機３００の留守番電話モードおよび留守番転送モードが解除される。一方ステップＳ４２において、操作者４０の操作入力に基づき、操作側携帯電話機２００からカメラ側携帯電話機３００に対して電話発信が開始される。
【００９３】
カメラ側携帯電話機３００で着信信号が検出されると、ステップＳ３４において、ＣＰＵ３１１により操作側携帯電話機２００からの着信の有無が判断される。特定された操作側携帯電話機２００の電話番号以外の電話番号からの着信があった場合には、ステップＳ３５に移行して、着信を拒否するとともに、ステップＳ３４に戻り、再度操作側携帯電話機２００からの着信の有無が判断される。
【００９４】
操作側携帯電話機２００の識別情報に基づき、ＣＰＵ３１１により操作側携帯電話機２００からの着信信号が検出されると、ステップＳ３６に進む。そして、ステップＳ３６およびステップＳ４３において、カメラ側携帯電話機３００と操作側携帯電話機２００との通話が確立される。このステップＳ３６およびステップＳ４３以降の処理において、操作側携帯電話機２００により通話が切断されるまでは、通話が確立された状態で処理が行われる。
【００９５】
ステップＳ３７およびステップＳ４４では、カメラ側携帯電話機３００と操作側携帯電話機２００との通話を確立した状態のまま、操作側携帯電話機２００から送信される音声信号およびトーン信号に基づいて撮像動作やプレビュー撮像動作などを行う撮像制御処理が行われる。以下、この撮像制御処理の詳細を説明する。
【００９６】
図１０に示すように、ステップＳ５１において、カメラ側携帯電話機３００のＣＰＵ３１１により、操作側携帯電話機２００から信号（音声信号またはトーン信号）が受信されたか否かが判断される。受信が確認されない場合には、このステップＳ５１の判断を繰り返すことにより、操作側携帯電話機２００からの信号を待ち受ける。
【００９７】
一方、操作側携帯電話機２００側では、ステップＳ７１において、ＣＰＵ２１によりプレビュー撮像の指示の有無が判断される。操作者４０がマイク２９を介してプレビュー用音声信号を入力（発声）するか、操作者４０がプレビュー用トーン信号に対応するダイヤルボタン２６ｃの組み合わせを押下すると、ステップＳ７２に進み、入力された音声信号またはトーン信号が電話通信部２２を介してカメラ側携帯電話機３００に対して送信される。なお、プレビュー用信号（プレビュー用トーン信号またはプレビュー用音声信号）が入力されない場合には、ステップＳ７７に進む。
【００９８】
操作側携帯電話機２００から送信された信号がカメラ側携帯電話機３００により受信されると、ステップＳ５２に進み、カメラ側携帯電話機３００のＣＰＵ３１１により、受信された信号がトーン信号であるか否かが判断される。受信された信号がトーン信号である場合には、ステップＳ５３に進む。一方、受信された信号がトーン信号以外の音声信号である場合には、ステップＳ５４に進む。
【００９９】
ステップＳ５３では、ＣＰＵ３１１により、受信されたトーン信号が解釈される。具体的には、受信されたトーン信号の組み合わせと、不揮発性メモリ３１６のトーン信号記憶部１６ｂに登録された撮像用トーン信号およびプレビュー用トーン信号記憶部３１６ｂに登録されたプレビュー用トーン信号とを比較することによってトーン信号が解釈される。
【０１００】
受信された信号がトーン信号以外の音声信号である場合には、ステップＳ５４において、ＣＰＵ３１１により、受信された音声信号の音声認識が実行される。具体的には、不揮発性メモリ３１６の音声パターン記憶部１６ａに登録された撮像用音声信号およびプレビュー用音声パターン記憶部３１６ａに記憶されたプレビュー用音声信号と、受信された音声信号の音量および音声パターンとを比較することによって音声信号が認識される。
【０１０１】
ステップＳ５５では、受信したトーン信号（ステップＳ５３の場合）がプレビュー用トーン信号記憶部３１６ｂに登録されたプレビュー用トーン信号と一致したか、または、受信した音声信号（ステップＳ５４の場合）がプレビュー用音声パターン記憶部３１６ａに記憶されたプレビュー用音声信号と一致したか否かが判断される。受信した信号（トーン信号または音声信号）が登録されたプレビュー用信号（プレビュー用トーン信号またはプレビュー用音声信号）と一致している場合には、ステップＳ５６に進む。一方、受信した信号（トーン信号または音声信号）が登録されたプレビュー用信号（プレビュー用トーン信号またはプレビュー用音声信号）と一致しない場合には、ステップＳ５８に進む。
【０１０２】
ステップＳ５６では、受信したプレビュー用信号（プレビュー用トーン信号またはプレビュー用音声信号）に基づいて、ＣＰＵ３１１によりプレビュー撮像動作が実行される。これにより、動画または静止画のプレビュー画像３５０（図７参照）が撮像部１３により撮像される。そして、ステップＳ５７において、撮像されたプレビュー画像３５０が電話通信部１２を介して操作側携帯電話機２００へ送信される。この際、プレビュー画像３５０が動画である場合には、ＣＰＵ３１１によりプレビュー画像３５０が所定の圧縮方式（Ｍｐｅｇなど）により圧縮されるとともに、テレビ電話通信によってプレビュー画像３５０が操作側携帯電話機２００に送信される。一方、プレビュー画像３５０が静止画である場合には、ＣＰＵ３１１によりプレビュー画像３５０が所定の圧縮方式（Ｊｐｅｇなど）により圧縮されるとともに、データ通信（電子メールなど）によってプレビュー画像３５０が操作側携帯電話機２００に送信される。
【０１０３】
なお、プレビュー画像３５０の送信が行われると、後述するステップＳ５８およびステップＳ６０でそれぞれＣＰＵ３１１によって「Ｎｏ」と判断されることにより、ステップＳ５１に戻る。
【０１０４】
一方、プレビュー画像３５０が操作側携帯電話機２００に送信されると、ステップＳ７３において、操作側携帯電話機２００の電話通信部２２によってプレビュー画像３５０受信される。そして、ステップＳ７４において、受信したプレビュー画像３５０（図７参照）がＣＰＵ２１によって表示部２７に表示される。
【０１０５】
ステップＳ７５では、操作側携帯電話機２００のＣＰＵ２１によって、撮像領域３５１が指定されたか否かが判断される。図７に示すように、操作側携帯電話機２００の選択操作ボタン２６ｄなどを用いて、操作者４０により撮像領域３５１が指定されると、ステップＳ７６へ進む。一方、撮像領域３５１が指定されない場合には、ステップＳ７７に進む。
【０１０６】
ステップＳ７６では、ＣＰＵ２１により、撮像領域３５１の対角の座標情報などの撮像領域情報が生成されるとともに、電話通信部２２を用いてトーン信号により撮像領域情報がカメラ側携帯電話機３００に対して送信される。
【０１０７】
撮像領域情報がカメラ側携帯電話機３００により受信されると、ステップＳ５８に進む。すなわち、再度ステップＳ５１でＣＰＵ３１１により信号が受信されたと判断され、ステップＳ５３を経てステップＳ５５に進む。そして、ステップＳ５５でＣＰＵ３１１によりプレビュー用信号ではない（Ｎｏ）と判断されることにより、ステップＳ５８に進む。ステップＳ５８では、ＣＰＵ３１１により、撮像領域情報が含まれるか否かが判断される。そして、受信したトーン信号に撮像領域情報が含まれる場合には、ステップＳ５９に進む。なお、受信したトーン信号に撮像領域情報が含まれない場合には、ステップＳ６０に進む。
【０１０８】
ステップＳ５９では、受信した撮像領域情報に基づき、ＣＰＵ３１１により、撮像用音声信号または撮像用トーン信号に基づいて撮像動作を実行する際の撮像領域３５１が設定される。具体的には、図８に示すように、撮像画像３６０の撮像領域が操作者４０により指定された撮像領域３５１に一致するように調整される。なお、撮像領域３５１が設定されると、後述するステップＳ６０に進み、ＣＰＵ３１１により「Ｎｏ」と判断されることにより、再度ステップＳ５１に戻る。
【０１０９】
その後、操作側携帯電話機２００側では、ステップＳ７７において、ＣＰＵ２１により撮像動作の指示の有無が判断される。操作者４０がマイク２９を介して撮像用音声信号を入力（発声）するか、操作者４０が撮像用トーン信号に対応するダイヤルボタン２６ｃの組み合わせを押下すると、ステップＳ７８に進み、入力された音声信号またはトーン信号が電話通信部２２を介してカメラ側携帯電話機３００に対して送信される。ステップＳ７８で音声信号またはトーン信号がカメラ側携帯電話機３００に対して送信されるか、ステップＳ７７において撮像用信号（撮像用音声信号または撮像用トーン信号）が操作者４０により入力されない場合には、撮像制御処理が終了し、図９のステップＳ４５以降の処理に戻る。
【０１１０】
撮像用信号（撮像用音声信号または撮像用トーン信号）がカメラ側携帯電話機３００により受信されると、再度ステップＳ５１でＣＰＵ３１１により信号が受信されたと判断され、ステップＳ６０に進む。すなわち、ステップＳ５３（撮像用トーン信号の場合）またはステップＳ５４（撮像用音声信号の場合）を経るとともに、ステップＳ５５でＣＰＵ３１１によりプレビュー撮像信号ではない（Ｎｏ）と判断されることにより、ステップＳ５８に進む。さらに、ステップＳ５８でＣＰＵ３１１により撮像領域情報ではない（Ｎｏ）と判断されることにより、ステップＳ６０に進む。
【０１１１】
ステップＳ６０では、受信したトーン信号（ステップＳ５３を経た場合）がトーン信号記憶部１６ｂに登録された撮像用トーン信号と一致したか、または、受信した音声信号（ステップＳ５４を経た場合）が音声パターン記憶部１６ａに記憶された撮像用音声信号と一致したか否かが判断される。受信した信号（トーン信号または音声信号）が登録された撮像用信号（撮像用トーン信号または撮像用音声信号）と一致している場合には、ステップＳ６１に進む。一方、受信した信号（トーン信号または音声信号）が登録された撮像用信号（撮像用トーン信号または撮像用音声信号）と一致しない場合には、ステップＳ５１に戻る。
【０１１２】
ステップＳ６１では、受信した撮像用信号（撮像用トーン信号または撮像用音声信号）に基づき、ＣＰＵ３１１により、撮像部１３の撮像動作が実行される。この際、撮像領域情報に基づいて撮像領域３５１が設定されている場合には、この撮像領域３５１に合致した撮像画像３６０（図８参照）が撮像部１３により撮像される。なお、この撮像画像３６０は、プレビュー画像３５０と異なり画素数を減少させることなく撮像される。その後、ＣＰＵ３１１により撮像動作が実行されると、撮像制御処理が終了して、図９のステップＳ３８以降の処理に戻る。
【０１１３】
図９に示すように、操作側携帯電話機２００では、ステップＳ４４の撮像制御処理の後、ステップＳ４５において、ＣＰＵ２１により切断操作の有無が判断される。すなわち、操作者４０が操作側携帯電話機２００の切断ボタン２６ｂを押下したか否かが判断される。切断操作が無い場合には、再度ステップＳ４４に戻り、撮像制御処理が継続される（継続して撮像動作が実行される）。一方、操作者４０による切断操作が検出されると、ステップＳ４６に進み、ＣＰＵ２１により、通話が切断される。
【０１１４】
一方、カメラ側携帯電話機３００では、ステップＳ３８において、ＣＰＵ３１１により、切断が検知されたか否かが判断される。切断が検知されない場合には、ステップＳ３７に戻り、撮像制御処理が継続される。また、上記ステップＳ４６で操作側携帯電話機２００側から通話が切断されると、ＣＰＵ３１１により通話の切断が検知されるとともに、ステップＳ３９に進む。そして、ステップＳ３９において、ＣＰＵ３１１によりリモート撮像モードが解除され、留守番電話モード（留守番転送モード）の設定が元の状態に戻される。
【０１１５】
以上により、第２実施形態によるカメラ側携帯電話機３００のリモート撮像モードにおける撮像動作制御が終了する。
【０１１６】
第２実施形態では、上記のように、ＣＰＵ３１１を、撮像用音声信号とは異なるプレビュー用音声信号または撮像用トーン信号とは異なるプレビュー用トーン信号を受信すると、撮像部１３により撮像動作を実行する前にプレビュー画像３５０を撮像するとともに、操作側携帯電話機２００に対して撮像したプレビュー画像３５０を送信するように構成することによって、撮像用信号（撮像用音声信号または撮像用トーン信号）に基づく撮像動作を実行する前に、前もってプレビュー画像３５０を操作側携帯電話機２００の側で受信することができるので、ユーザ（操作者４０）が撮像される画像（プレビュー画像３５０）を事前に確認することができる。
【０１１７】
また、第２実施形態では、上記のように、ＣＰＵ３１１を、プレビュー用音声信号またはプレビュー用トーン信号を受信した場合において、撮像用音声信号または撮像用トーン信号に基づいて撮像動作を実行する際の画素数画素数（たとえば、２０４８×１５３６画素（約３００万画素））よりも少ない画素数（たとえば、１２８０×７６８画素（約１００万画素））でプレビュー画像３５０を撮像するとともに、撮像したプレビュー画像３５０のデータを圧縮（ＭｐｅｇまたはＪｐｅｇなど）した状態で操作側携帯電話機２００に対して送信するように構成することによって、プレビュー画像３５０のデータ量を少なくすることができるので、データ送信に要する時間を短くすることができる。これにより、撮影前のプレビュー画像３５０を用いた確認および微調整作業を円滑に行うことができる。
【０１１８】
また、第２実施形態では、上記のように、ＣＰＵ３１１を、プレビュー画像３５０に含まれる撮像領域３５１を示す撮像領域情報を電話通信部１２を介して操作側携帯電話機２００から受信するとともに、撮像領域情報に基づき、撮像用音声信号または撮像用トーン信号に基づいて撮像動作を実行する際の撮像領域を設定するように構成することによって、ユーザ（操作者４０）がプレビュー画像３５０から撮像したい領域（撮像領域３５１）を操作側携帯電話機２００から指定した後、この撮像領域３５１に基づいて撮像領域情報をカメラ側携帯電話機３００に送信することができるので、撮像用音声信号または撮像用トーン信号に基づいて撮像動作を実行する際に、ユーザ（操作者４０）が所望する撮像領域３５１を撮像することができる。
【０１１９】
なお、第２実施形態のその他の効果は、上記第１実施形態と同様である。
【０１２０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１２１】
たとえば、上記第１および第２実施形態では、カメラ側携帯電話機１００（３００）のＣＰＵ１１（３１１）を、撮像用音声信号または撮像用トーン信号のいずれか一方に基づいて撮像部１３の撮像動作を実行するように構成した例を示したが、本発明はこれに限られない。制御部は、第１音声信号および第１トーン信号の両方に基づいて撮像動作を実行するように構成してもよい。
【０１２２】
また、上記第１および第２実施形態では、カメラ側携帯電話機１００（３００）のＣＰＵ１１（３１１）を、所定の音量および所定の音声パターンの撮像用音声信号に基づいて撮像部１３の撮像動作を実行するように構成した例を示したが、本発明はこれに限られない。制御部は、第１音声信号として所定の音量のみ、または所定の音声パターンのみに基づいて撮像動作を実行するように構成してもよい。
【０１２３】
また、上記第１および第２実施形態では、撮像用音声信号の音声パターンを、写真撮影の際に使用される掛け声（たとえば、特定の音量の「ハイ、ポーズ！」という掛け声）とした例を示したが、本発明はこれに限られない。第１音声信号の音声パターンは、写真撮影の際に使用される掛け声以外の掛け声や、その他の合図の音声パターンでもよい。
【０１２４】
また、上記第１および第２実施形態では、撮像用トーン信号を所定の複数（３つ）のトーン信号の組み合わせとした例を示したが、本発明はこれに限られない。第１トーン信号は、単一のトーン信号としてもよい。また、第１トーン信号を、２つまたは４つ以上のトーン信号の組み合わせとして構成してもよい。
【０１２５】
また、上記第１および第２実施形態では、カメラ側携帯電話機１００（３００）に操作側携帯電話機２００と無線電話通信とは異なる無線通信を行うＩＲ通信部１４およびＢｌｕｅｔｏｏｔｈ通信部１５を設けた例を示したが、本発明はこれに限られない。すなわち、本発明の「第２通信部」を設けることなく、操作者が手動で操作側携帯電話機の識別情報を検索または入力するように構成してもよい。また、本発明の「第２通信部」として、赤外線通信およびＢｌｕｅｔｏｏｔｈ規格に基づく短距離無線通信以外の無線通信を行う通信部を設けてもよい。たとえば、いわゆる非接触ＩＣカードなどに用いられる近距離無線通信を行う通信部を設けてもよい。
【０１２６】
また、上記第１および第２実施形態では、操作側携帯電話機２００からカメラ側携帯電話機１００（３００）に対して発信を行い、カメラ側携帯電話機１００（３００）側で着信を受けることにより通話を確立するように構成した例を示したが、本発明はこれに限られない。本発明では、カメラ側携帯電話機から自動で操作側携帯電話機に対して発信し、操作側携帯電話機を所持するユーザの操作（着信を受ける操作）によって通話を確立するように構成してもよい。
【０１２７】
また、上記第２実施形態では、撮像用信号（撮像用音声信号または撮像用トーン信号）に基づいて撮像動作を実行する際の画素数よりも少ない画素数を有するプレビュー画像３５０の撮像を行うように構成した例を示したが、本発明はこれに限られない。プレビュー画像３５０の画素数を撮像画像３６０の画素数と同じ画素数で撮像するようにしてもよい。
【０１２８】
また、上記第２実施形態では、撮像領域３５１を示す撮像領域情報をトーン信号により送信されるように構成した例を示したが、本発明はこれに限られない。撮像領域情報は、トーン信号以外の音声信号、電子メールを用いたメッセージ、テレビ電話を用いたデータ通信、プッシュ型電子メールであるＳＭＳ（ショートメッセージサービス）を用いたメッセージなどによって送信してもよい。
【０１２９】
また、上記第１および第２実施形態では、ＣＰＵ２１を、押下されたダイヤルボタン２６ｃ（「０」〜「９」、「＊」および「＃」）に対応するトーン信号を生成し、押下されたダイヤルボタン２６ｃに対応するトーン信号をカメラ側携帯電話機１００（３００）に対して送信するように構成した例を示したが、本発明はこれに限られない。本発明では、ダイヤルボタン入力に伴ってトーン信号が送信される必要はない。つまり、たとえば操作側携帯電話機の不揮発性メモリに「０」〜「９」、「＊」および「＃」に対応するトーン信号を記憶するとともに、不揮発性メモリに記憶されたトーン信号を組み合わせて再生可能に構成する。そして、操作側携帯電話機とカメラ側携帯電話機との通話が確立された状態で、ユーザによる選択操作ボタンを用いた操作入力に基づいて、操作側携帯電話機の不揮発性メモリに記憶されたトーン信号を組み合わせて撮像用トーン信号またはプレビュー用トーン信号を再生することにより、カメラ側携帯電話機に対してトーン信号（撮像用トーン信号またはプレビュー用トーン信号）を送信するように構成してもよい。
【符号の説明】
【０１３０】
１１  ＣＰＵ（制御部）
１２  電話通信部（第１通信部）
１３  撮像部
１４  ＩＲ通信部（第２通信部）
１５  Ｂｌｕｅｔｏｏｔｈ通信部（第２通信部）
１６ａ  音声パターン記憶部（記憶部）
１６ｂ  トーン信号記憶部（記憶部）
１００、３００  カメラ側携帯電話機（携帯電話機）
２００  操作側携帯電話機
３５０  プレビュー画像（試写画像）
３５１  撮像領域
【図１】
2011035722.tif 000003
【図２】
2011035722.tif 000004
【図３】
2011035722.tif 000005
【図４】
2011035722.tif 000006
【図５】
2011035722.tif 000007
【図６】
2011035722.tif 000008
【図７】
2011035722.tif 000009
【図８】
2011035722.tif 000010
【図９】
2011035722.tif 000011
【図１０】
2011035722.tif 000012